(57)【特許請求の範囲】
【請求項１】
作物（４）を生育するための農業用ハウス（１）において、雨センサ（５３）の検出値に基づく雨有りか雨無しかの検出結果に応じて、ハウスに設けられた通気窓（３０，３１）の開度を制御する制御装置（２）であって、
前記雨センサの検出値に基づく検出結果が雨有りである場合に、昼間時間帯に日射センサ（５２）によって検出される日射量が雨無し時の日射量に相当する所定の雨無し日射量値と比較して同等以上である状態を検出し、かつこの検出状態が所定の雨無し判定時間以上継続したときには、前記雨有りの検出結果は誤検出であると判定し、前記通気窓の開度を雨有り時の設定開度よりも開くように制御することを特徴とする制御装置。
【請求項２】
作物（４）を生育するための農業用ハウス（１）において、雨センサ（５３）の検出値に基づく雨有りか雨無しかの検出結果に応じて、ハウスに設けられた通気窓（３０，３１）の開度を制御する制御装置（２）であって、
前記雨センサの検出値に基づく検出結果が雨無しである場合に、湿度センサ（５５）によって検出される外気の相対湿度が雨有り時の相対湿度に相当する所定の湿度基準値と比較して同等以上である状態を検出し、かつこの検出状態が所定の雨有り判定時間以上継続したときには、前記雨無しの検出結果は誤検出であると判定し、前記通気窓の開度を雨無し時の設定開度よりも閉じるように制御することを特徴とする制御装置。
【請求項３】
前記雨センサの検出値に基づく検出結果を誤検出であると判定した場合に、さらに前記雨センサの異常状態を報知することを特徴とする請求項１または請求項２に記載の制御装置。
【請求項４】
内部で作物（４）を生育するハウスの屋外において雨有りか雨無しかの検出結果を判断するための検出値を出力する雨センサ（５３）と、
日射量を検出する日射センサ（５２）と、
前記ハウスに設けられ、前記ハウスの内部と外部との通気量を調整可能な通気窓（３０，３１）と、
前記雨センサの検出値に基づく雨有りか雨無しかの検出結果に応じて、前記通気窓の開度を制御する制御装置（２）と、
を備え、
前記制御装置は、前記雨センサの検出値に基づく検出結果が雨有りである場合に、昼間時間帯に前記日射センサによって検出される日射量が雨無し時の日射量に相当する所定の雨無し日射量値と比較して同等以上である状態を検出し、かつこの検出状態が所定の雨無し判定時間以上継続したときには、前記雨有りの検出結果は誤検出であると判定し、前記通気窓の開度を雨有り時の設定開度よりも開くように制御することを特徴とする農業用ハウス。
【請求項５】
内部で作物（４）を生育するハウスの屋外において雨有りか雨無しかの検出結果を判断するための検出値を出力する雨センサ（５３）と、
外気の相対湿度を検出する湿度センサ（５５）と、
前記ハウスに設けられ、前記ハウスの内部と外部との通気量を調整可能な通気窓（３０，３１）と、
前記雨センサの検出値に基づく雨有りか雨無しかの検出結果に応じて、前記通気窓の開度を制御する制御装置（２）と、
を備え、
前記制御装置は、前記雨センサの検出値に基づく検出結果が雨無しである場合に、前記湿度センサによって検出される外気の相対湿度が雨有り時の相対湿度に相当する所定の湿度基準値と比較して同等以上である状態を検出し、かつこの検出状態が所定の雨有り判定時間以上継続したときには、前記雨無しの検出結果は誤検出であると判定し、前記通気窓の開度を雨無し時の設定開度よりも閉じるように制御することを特徴とする農業用ハウス。
【請求項６】
前記制御装置は、前記雨センサの検出値に基づく検出結果を誤検出であると判定した場合に、さらに前記雨センサの異常状態を報知することを特徴とする請求項４または請求項５に記載の農業用ハウス。
【発明の詳細な説明】
【技術分野】
【０００１】
本発明は、作物を栽培するハウス内の環境を制御する制御装置及び農業用ハウスに関する。
【背景技術】
【０００２】
屋外に設置される農業用ハウスにおいては、作物の生育環境を確保する一つの手段として雨センサの検出情報を用いて降雨の有無を判定し、降雨判定時は換気用の窓を閉めて作物への雨滴付着を予防している。しかしながら、何らかの原因により雨センサが誤検出することがあり、誤検出に基づいて換気用の窓の開閉制御が行われると、作物に対して重大な悪影響を与えることがある。
【０００３】
また、センサの故障を検出する従来技術としては、特許文献１が知られている。特許文献１には、日射量に応じたレベルの信号を出力する日射センサを備える車両用空調装置において、日射センサの短絡故障及び断線故障の双方を検出する技術が開示されている。
【先行技術文献】
【特許文献】
【０００４】
【特許文献１】特開平７−１０８８１２号公報
【発明の概要】
【発明が解決しようとする課題】
【０００５】
特許文献１で開示されている発明は、日射センサの検出値が極端に大きい場合やゼロである場合に日射センサに関する短絡故障や断線故障を検出するものである。したがって、農業ハウスの雨センサに特許文献１の開示発明を適用した場合には、短絡故障や断線故障を検出することはできるが、短絡故障や断線故障以外の原因による雨センサの誤検出を検出することはできない。
【０００６】
そこで、本発明は、前述の問題点に鑑みてなされたものであり、その目的は、屋外の降雨の有無を検出する雨センサに故障等の異常があった場合に誤検出を判定できる制御装置及び農業用ハウスを提供することである。
【課題を解決するための手段】
【０００７】
本発明は上記目的を達成するために以下の技術的手段を採用する。また、特許請求の範囲及びこの項に記載した括弧内の符号は、ひとつの態様として後述する実施形態に記載の具体的手段との対応関係を示す一例であって、本発明の技術的範囲を限定するものではない。
【０００８】
開示された発明のひとつは、作物（４）を生育するための農業用ハウス（１）において、雨センサ（５３）の検出値に基づく雨有りか雨無しかの検出結果に応じて、ハウスに設けられた通気窓（３０，３１）の開度を制御する制御装置（２）に係る発明であって、
雨センサの検出値に基づく検出結果が雨有りである場合に、昼間時間帯に日射センサ（５２）によって検出される日射量が雨無し時の日射量に相当する所定の雨無し日射量値と比較して同等以上である状態を検出し、かつこの検出状態が所定の雨無し判定時間以上継続したときには、雨センサによる雨有りの検出結果は誤検出であると判定し、通気窓の開度を雨有り時の設定開度よりも開くように制御することを特徴とする。
【０００９】
この発明によれば、雨有りの検出結果が出た場合に、本来雨無し時の昼間時間帯に検出されるべき所定の雨無し日射量値に対して同等以上の日射量を検出したときにはその検出継続時間が所定の雨無し判定時間以上であるか否かを判定する。この検出状態が雨無し判定時間以上継続する場合には雨センサによる雨有りの検出結果は誤検出であると判定する。これにより、実際には雨が降っていないのにもかかわらず、何らかの原因により雨有りとする誤検出を抽出することができる。例えば、明らかに検出値が正常でない短絡故障や断線故障ではなく、これら以外の原因による雨センサの誤検出を検出することができる。さらに、雨有りとする誤検出に対して、通気窓の開度を雨有り時の設定開度よりも開くことにより、雨無し時に対応する換気量やハウス内の室温管理を実施することができる。したがって、屋外の降雨の有無を検出する雨センサに故障等の異常があった場合に誤検出を判定できる制御装置を提供できる。
【００１０】
開示された発明のひとつは、作物（４）を生育するための農業用ハウス（１）において、雨センサ（５３）の検出値に基づく雨有りか雨無しかの検出結果に応じて、ハウスに設けられた通気窓（３０，３１）の開度を制御する制御装置（２）に係る発明であって、
雨センサの検出値に基づく検出結果が雨無しである場合に、湿度センサ（５５）によって検出される外気の相対湿度が雨有り時の相対湿度に相当する所定の湿度基準値と比較して同等以上である状態を検出し、かつこの検出状態が所定の雨有り判定時間以上継続したときには、雨センサによる雨無しの検出結果は誤検出であると判定し、通気窓の開度を雨無し時の設定開度よりも閉じるように制御することを特徴とする。
【００１１】
この発明によれば、雨無しの検出結果が出た場合に、外気の相対湿度が本来雨有り時に検出されるべき外気の相対湿度に相当する所定の湿度基準値に対して同等以上であり、この検出継続時間が所定の雨有り判定時間以上であるか否かを判定する。この検出状態が雨有り判定時間以上継続する場合には雨センサによる雨無しの検出結果は誤検出であると判定する。これにより、実際には雨が降っているにもかかわらず、何らかの原因により雨無しとする誤検出を抽出することができる。この場合も、明らかに検出値が正常でない短絡故障や断線故障ではなく、これら以外の原因による雨センサの誤検出を検出することができる。さらに、雨無しとする誤検出に対して、通気窓の開度を雨無し時の設定開度よりも閉めることにより、雨滴が作物に付着する事態を回避することができる。この発明によれば、雨センサに故障等の異常があった場合に誤検出を判定できる制御装置を提供できる。
【００１２】
開示された農業用ハウスに係る発明のひとつは、内部で作物（４）を生育するハウスの屋外において雨有りか雨無しかの検出結果を判断するための検出値を出力する雨センサ（５３）と、日射量を検出する日射センサ（５２）と、ハウスに設けられハウスの内部と外部との通気量を調整可能な通気窓（３０，３１）と、雨センサの検出値に基づく雨有りか雨無しかの検出結果に応じて、通気窓の開度を制御する制御装置（２）と、を備え、
制御装置は、雨センサの検出値に基づく検出結果が雨有りである場合に、昼間時間帯に日射センサによって検出される日射量が雨無し時の日射量に相当する所定の雨無し日射量値と比較して同等以上である状態を検出し、かつこの検出状態が所定の雨無し判定時間以上継続したときには、雨センサによる雨有りの検出結果は誤検出であると判定し、通気窓の開度を雨有り時の設定開度よりも開くように制御することを特徴とする。
【００１３】
この発明によれば、雨有りの検出結果が出た場合に、本来雨無し時の昼間時間帯に検出されるべき所定の雨無し日射量値以上の日射量を検出し、この検出継続時間が所定の雨無し判定時間以上である場合には雨有りの検出結果は誤検出であると判定する。これにより、実際には雨降りでないにもかかわらず、雨有りとする雨センサの誤検出を抽出することができる。例えば、短絡故障や断線故障ではなく、これら以外の何らかの原因による雨センサの誤検出を検出可能になる。さらに、雨有りとする誤検出があった場合に、通気窓の開度を雨有り時の設定開度よりも開くことにより、雨無し時に対応する換気量やハウス内の室温管理を実施することができる。したがって、屋外の降雨の有無を検出する雨センサに故障等の異常があった場合に誤検出を判定できる農業用ハウスを提供できる。
【００１４】
開示された農業用ハウスに係る発明のひとつは、内部で作物（４）を生育するハウスの屋外において雨有りか雨無しかの検出結果を判断するための検出値を出力する雨センサ（５３）と、外気の相対湿度を検出する湿度センサ（５５）と、ハウスに設けられ、ハウスの内部と外部との通気量を調整可能な通気窓（３０，３１）と、雨センサの検出値に基づく雨有りか雨無しかの検出結果に応じて、通気窓の開度を制御する制御装置（２）と、を備え、
制御装置は、雨センサの検出値に基づく検出結果が雨無しである場合に、湿度センサによって検出される外気の相対湿度が雨有り時の相対湿度に相当する所定の湿度基準値と比較して同等以上である状態を検出し、かつこの検出状態が所定の雨有り判定時間以上継続したときには、雨センサによる雨無しの検出結果は誤検出であると判定し、通気窓の開度を雨無し時の設定開度よりも閉じるように制御することを特徴とする。
【００１５】
この発明によれば、雨無しの検出結果が出た場合に、外気の相対湿度が雨有り時に検出される外気の相対湿度に相当する所定の湿度基準値以上であり、この検出状態が所定の雨有り判定時間以上継続する場合に雨無しの検出結果は誤検出であると判定する。この判定により、実際には雨が降っているにもかかわらず、雨無しとする誤検出を抽出することができる。この場合、短絡故障や断線故障ではなく、これら以外の原因による雨センサの誤検出を検出することができる。さらに、雨無しとする誤検出に対して、通気窓の開度を雨無し時の設定開度よりも閉めるため、雨滴が作物に付着する事態を回避することができる。この発明によれば、雨センサに故障等の異常があった場合に誤検出を判定できる農業用ハウスを提供できる。
【図面の簡単な説明】
【００１６】
【図１】第１実施形態に係る農業用ハウスとその制御構成について示した概要図である。
【図２】雨センサの検出値に基づく検出結果について誤検出か否かを判定する判定制御の一例を示したフローチャートである。
【発明を実施するための形態】
【００１７】
（第１実施形態）
第１実施形態に一形態としての農業用ハウス１を開示する。農業用ハウス１は、ハウス内で所定の作物４を生長させることを目的として、制御装置２によって、ハウス内を生長に適正な環境に制御する。制御される環境因子は、例えば、ハウス内における室温、湿度、二酸化炭素濃度、日射量等である。制御装置２は、これらの環境因子を適正に制御するために、各種の温度調整機器、湿度調整機器、風量調整機器、炭酸濃度調整機器、給水調整機器、日射量調整機器等の作動を制御することができる環境制御コントローラである。
【００１８】
第１実施形態について、図１及び図２を参照して説明する。農業用ハウス１は、風向き、風速、日照、降水の有無、ハウス内の温度、湿度、二酸化炭素濃度等を計測する各種センサと、ハウスの天窓やカーテンの開閉、空調装置の制御、ミストの発生、二酸化炭素の発生等を行う各種調整機器と、制御装置２とを備える。例えば作物４がトマトである場合には、農業用ハウス１は、トマトの温室栽培において温度、二酸化炭素濃度等を自動制御することで光合成を促進して収穫量を増加できる空調管理システムでもある。また、制御装置２は、ハウス本体３内における複数箇所の測定値（例えば、温度、湿度、二酸化炭素濃度）から求めた制御指標に応じた制御信号を各種調整機器に出力して、ハウス内外の状況に応じて作物４の生育環境が最適となるよう自動的に制御してもよい。
【００１９】
ハウス本体３は、例えば、構造材としての金属製部材を組み合わせて構成されたフレームと、フレームにより支持された被覆材とを備える。被覆材は、透光性を有する合成樹脂フィルムやガラスが用いられる。図１に図示するハウス本体３は、切妻状の屋根部と、屋根部を支持し各組互いに対向する二組の側壁部と、を一体に備えるが、この形態は一例であって、ハウス本体３の構成を限定する趣旨ではない。また、ハウス本体３に他の材料を用いることや他の形状に形成することを妨げるものではない。
【００２０】
作物４は、ハウス本体３内に設けられたベッド３８等の所定の容器内の用土において栽培されている。給水機３７によって、水と肥料とを含んだ養液がパイプを通じて用土に供給されることにより、作物４は用土から栄養分を吸収して生育する。ベッド３８は、ハウス内において所定の個数、均等の間隔をあけて列をなすように設置されている。
【００２１】
給水機３７は、制御装置２によって制御される給水ポンプである。制御装置２は、１日のうち所定の時間帯に給水機３７を運転して目標量の養液を用土に供給する。また、制御装置２は、日射センサ５２によって検出された日射量に応じて、目標量に対して養液の供給量を加減するように給水機３７を制御する。
【００２２】
循環扇３３は、ハウス本体３内の上部において、作物４、湿度センサ５７、側窓３１よりも高い位置に設置された送風装置である。循環扇３３は、制御装置２によって制御され、ハウス本体３内の気体を循環させて全体に行き渡らせる。このように循環扇３３は、ハウス本体３内や作物４の周囲に気流を形成する気流形成装置を構成し、ハウス内における湿度、温度、二酸化炭素濃度等の調整を促し、また、作物４の生育を促すことにも寄与する。
【００２３】
制御装置２は、それぞれ１個または複数個設けられる、温度センサ５６、湿度センサ５７、二酸化炭素センサ５８の測定値を用いて制御指標を求める。制御装置２は、ハウス本体３内における各測定値に応じて、または複数箇所の測定値から求めた制御指標に応じて循環扇３３を運転することで、ハウス内の室温を上昇または低下させたり、二酸化炭素濃度や湿度をハウス内において均一化させたりする制御を行う。制御装置２は、例えば、複数の測定値についての最大値、最小値、平均値等を求める演算によって制御指標を決定するようにしてもよい。
【００２４】
複数箇所の測定値から制御指標を求める場合には、各センサは、例えば、平面視したハウス本体３内において、複数個のベッド３８が並ぶ配列方向に等間隔をあけて３個、各ベッド３８が延びる方向の両方の端と中央とに３個の計９個設置される。このように複数個のセンサは、ハウス内の四隅、側壁近傍など、気流が形成されにくく空気の流れがよどみやすい場所と、中央などの比較的気流が形成されやすい場所との両方に設置されるため、多観点的で大局的な環境制御の実施に寄与する。
【００２５】
また、循環扇３３は、ハウス内において気流を形成する場所を選択可能な形態で設置されることが好ましく、例えば、ハウス内において横または縦に延びるレール等に固定されることによって可動式であることが好ましい。
【００２６】
ミスト発生器３４は、ハウス内の上部において、作物４、湿度センサ５７、側窓３１よりも高い位置に設置されたミストチューブを備える。ミストチューブは、通水されるチューブの管壁に取り付けられた複数個のノズルを備え、ポンプ等によってチューブに通水される圧力を調節することによりノズルから水が噴霧されるように構成されている。したがって、ミストチューブは水を霧状に噴出させるため、霧はハウス内の上部から比較的時間をかけて落下し、ハウス内の湿度を徐々に上昇させることができる。また、ミスト発生器３４による霧の噴出とともに循環扇３３を運転することにより、ハウス内に霧を早く行き渡らせることができ、湿度の上昇を早めることもできる。
【００２７】
ミスト発生器３４は、制御装置２によって制御される。制御装置２は、例えば１日のうち所定の時間帯にミスト発生器３４を運転して目標量の霧を噴出し、ハウス内の湿度環境を目標範囲にするように制御する。制御装置２は、ハウス本体３内の複数箇所における湿度の測定値から求めた制御指標に応じてミスト発生器３４による霧の噴出量を調整して、ハウス内の湿度環境を目標範囲に制御する。
【００２８】
また、制御装置２は、日射センサ５２によって検出された日射量に応じて、目標量に対して霧の供給量を加減するようにミスト発生器３４を制御する。制御装置２は、湿度センサ５７によって測定されたハウス内の相対湿度が低い場合に、ミスト発生器３４を運転してハウス内に霧を供給し、相対湿度を上昇させる制御を行う。ミスト発生器３４は、主に加湿を行う場合に運転されるが、ハウス内にミストを供給することにより気化熱作用を促して室温を低下させる温度低下装置として運転することもできる。
【００２９】
ハウス本体３には、屋根部から入射する外光を遮光させる閉状態と、屋根部から入射する外光を遮光しないで作物４に照射させる開状態との間で開閉可能なカーテン３２が設けられている。また、カーテン３２は、冷房装置や暖房装置と併用されて、ハウス内を保冷したり保温したりする際に、活用される。さらにハウス本体３の屋根部には、開閉可能な天窓３０が設けられ、天窓３０の開量が調節されることにより、ハウス内に外気を取り込む際の空気の通気抵抗や換気量を調節できる。天窓３０はハウスの内部と外部との通気量を調整可能な通気窓である。また、ハウス本体３の側壁部には、開閉可能な側窓３１が設けられ、側窓３１の開量が調節されることにより、ハウス内に外気を取り込む際の空気の通気抵抗や換気量を調節できる。側窓３１はハウスの内部と外部との通気量を調整可能な通気窓である。つまり、天窓３０や側窓３１は、ハウス本体３に設けられ、ハウスの内外を行き来する気流を制御可能な通気窓である。
【００３０】
カーテン３２、天窓３０、側窓３１のそれぞれは、モータ等の動力源により駆動され、制御装置２によって制御される。カーテン３２が開閉されると、外部からハウス内に流入する日射量を調節することになり、ハウス内の室温について温度上昇の速度を調節することができる。したがって、制御装置２は、ハウス内の温度を低下させる場合には、カーテン３２を閉じる方向に駆動し、ハウス内の温度を上昇させる場合には、カーテン３２を開く方向に駆動するように制御する。ただし、暖房装置と併用する場合や外気温度が室温よりも低い場合は、制御装置２はカーテン３２を閉じるように制御して保温を行う。天窓３０や側窓３１は、例えば、昼間にはハウス内の室温を目標温度に近づけるように開閉され、夜間や冬季には閉じられる。制御装置２は、ハウス本体３内の複数箇所における温度の測定値から求めた制御指標に応じて天窓３０、側窓３１、カーテン３２等の開閉量を調整して、ハウス内の温度環境を目標範囲に制御する。
【００３１】
天窓３０や側窓３１の開量を調節することにより、ハウス本体３の中に外気を取り入れる速度を調節することができる。また、天窓３０や側窓３１は、ハウス本体３の内部空間に外気を取り込むことにより、ハウス本体３の内外の温度差を利用して温度を調節することができる。例えば、夏季や晴天の日中には、カーテン３２を閉じ、かつ天窓３０や側窓３１の開量を大きく制御することにより、ハウス本体３の室温の上昇を抑制することに寄与する。
【００３２】
循環扇３３と天窓３０や側窓３１とは、農業用ハウス１における気流形成装置を構成する。また、天窓３０や側窓３１は、循環扇３３が運転していない状態でも単独で気流形成装置を構成することもできる。つまり、循環扇３３が運転され、天窓３０や側窓３１が開いている場合には、ハウス本体３の内部に外気を強制的に取り込むことができ、ハウス内に外気流入を含む気流を形成できる。また、天窓３０や側窓３１が開いている場合には、外部の風向によってはハウス本体３の内部に一定以上の流速をもつ外気を取り込むことができ、ハウス内に外気流入を含む気流を形成できる。循環扇３３は、このように気流形成装置として使用されて、室温の調整や湿度の調節だけでなく、ハウス内の二酸化炭素を拡散させることにも使用できる。
【００３３】
農業用ハウス１は、暖気や冷気をハウス内に供給可能な空調装置として機能するヒートポンプ装置３５を備える。ヒートポンプ装置３５は、その本体がハウスの屋外に設置され、本体から延びるダクトを介して、作物４の周囲などの所定の位置に空調風を吹き出すことができる。ヒートポンプ装置３５の空調風により、作物４の周囲の温度を制御することができる。
【００３４】
ヒートポンプ装置３５は、複数個の熱交換器、圧縮機、及び減圧装置等を環状に配管で接続した回路において冷媒が循環するサイクルを構成する。ヒートポンプ装置３５は、冷媒の放熱作用により放熱用熱交換器で加熱された外気を暖気として送風する場合は、温度上昇装置として機能し、冷媒の吸熱作用により冷却用熱交換器で冷却された外気を冷気として送風する場合は、温度低下装置として機能する。制御装置２は、作物４の周囲における室温を生育に適した目標温度に保つようにヒートポンプ装置３５を制御する。
【００３５】
農業用ハウス１は、暖気をハウス内に供給可能な暖房機３６を備える。暖房機３６は、作物４の周囲などの所定の位置に暖気を吹き出すことができる空調装置である。暖房機３６は、暖房風により、作物４の周囲の温度を上昇させることができる温度上昇装置として機能する。暖房機３６は、例えば、電気ヒータ、温水式ヒータ、燃焼式ヒータ等により暖めた空気をハウス内に供給する。制御装置２は、作物４の周囲における室温を生育に適した目標温度に保つように暖房機３６を制御する。制御装置２は、ハウス本体３内の温度に応じてまたは複数箇所における温度測定値から求めた制御指標に応じてヒートポンプ装置３５、暖房機３６等の運転を制御して、ハウス内の温度環境を目標範囲に制御する。
【００３６】
農業用ハウス１は、ハウス内に二酸化炭素を供給する炭酸ガス発生機３９を備える。制御装置２は、光合成を促進するために、ハウス内、特に作物４の周囲における炭酸ガス濃度を適切に保つように炭酸ガス発生機３９を制御する。制御装置２は、例えば、１日のうち所定の時間帯に炭酸ガス発生機３９を運転してハウス内の二酸化炭素濃度を目標値となるように調整する。したがって、炭酸ガス発生機３９は、光合成促進装置である。制御装置２は、ハウス本体３内の二酸化炭素濃度に応じてまたは複数箇所における二酸化炭素濃度の測定値から求めた制御指標に応じて炭酸ガス発生機３９の運転を制御し、ハウス内の二酸化炭素濃度環境を目標範囲に制御する。
【００３７】
農業用ハウス１は、作物４の生育に関わる環境情報を測定する複数個の各種センサを備える。各種センサは、例えば、風向センサ５０、風速センサ５１、日射センサ５２、雨滴センサ５３、屋外の温度センサ５４、屋外の湿度センサ５５、室内の温度センサ５６、室内の湿度センサ５７、二酸化炭素センサ５８等を含む農業用ハウス１の環境センサである。
【００３８】
風向センサ５０は、ハウス本体３の屋外における風向を検出する。風向センサ５０により検出された風向情報は、制御装置２に入力されて、天窓３０や側窓３１に対する風向としてこれらの窓の開度制御に用いられる。風速センサ５１は、ハウス本体３の屋外における風速を検出する。風速センサ５１により検出された風速情報は、制御装置２に入力されて、天窓３０や側窓３１に対する風速としてこれらの窓の開度制御に用いられる。
【００３９】
日射センサ５２は、ハウス本体３に降り注ぐ日射量を検出する。日射センサ５２により検出された日射量情報は、制御装置２に入力されてハウス内に流入する熱量の見積もりに用いられ、カーテン３２の開閉制御、室温制御に用いられる。また、検出された日射量は、雨天や夜間と、晴天の日中とを判断することにも用いることができる。
【００４０】
雨滴センサ５３は、ハウス本体３の屋外に設けられた降雨の有無を検出可能な雨センサである。制御装置２は、雨滴センサ５３の検出値に基づく雨有りか雨無しかの検出結果に応じて、ハウスに設けられた天窓３０や側窓３１の開度を制御する。雨滴センサ５３は、例えば、パネル上に付着した雨を水分として検出するセンサであり、所定の電極間の電気抵抗を検出する。電気抵抗の検出値は制御装置２に入力され、制御装置２は、検出値がある抵抗値以下の場合は雨有りと判定し、この抵抗値を上回る場合は雨無しであると判定する。また、雨滴センサ５３は、パネル上に付着した雨を水圧として検出するセンサであってもよい。この場合、雨滴センサ５３が検出する圧力は制御装置２に入力され、制御装置２は、検出値がある圧力値以上の場合は雨有りと判定し、この圧力値を下回る場合は雨無しであると判定する。
【００４１】
温度センサ５４は、ハウス本体３の屋外における外気の温度を検出し、制御装置２に送る。湿度センサ５５は、ハウス本体３の屋外における外気の湿度を検出し、制御装置２に送る。温度センサ５６は、ハウス本体３の室内における温度、例えば作物４の周囲の温度を検出してこの温度環境値を制御装置２に送る。湿度センサ５７は、ハウス本体３の室内における湿度、例えば作物４の周囲の湿度を検出する湿度検出手段であり、この湿度環境値を制御装置２に送る。二酸化炭素センサ５８は、ハウス本体３の室内における二酸化炭素濃度、例えば作物４の周囲の二酸化炭素濃度を検出する二酸化炭素濃度検出手段であり、二酸化炭素環境値を制御装置２に送る。
【００４２】
ハウス本体３の中で作物４が生長する環境は、各種の温度調整機器、湿度調整機器、風量調整機器、炭酸濃度調整機器、給水調整機器、日射量調整機器等を制御することによって変化する。前述のように、温度調整機器は、ハウス内の室温を調整するように制御可能な天窓３０、側窓３１、カーテン３２、循環扇３３、ミスト発生器３４、ヒートポンプ装置３５、暖房機３６等により構成することができる。また、湿度調整機器は、ハウス内の相対湿度を調整するように制御可能なミスト発生器３４、ヒートポンプ装置３５等により構成することができる。また、風量調整機器は、ハウス内の気流を形成するように制御可能な天窓３０、側窓３１、循環扇３３等により構成することができる。
【００４３】
また、炭酸濃度調整機器は、ハウス内の二酸化炭素濃度を調整するために制御される炭酸ガス発生機３９等により構成することができる。また、給水調整機器は、作物４への給水を調整するために制御される給水機３７等により構成することができる。また、日射量調整機器は、ハウス内に流入する日射量を調整するように制御可能なカーテン３２等により構成することができる。
【００４４】
制御装置２は、給水機３７の送水圧の調節、カーテン３２の開閉、天窓３０及び側窓３１の開量の調節、循環扇３３、ミスト発生器３４、炭酸ガス発生機３９、暖房機３６、及びヒートポンプ装置３５のそれぞれの運転と停止などを制御する。各調整機器への通電開始及び通電停止には、各装置への給電を入切する電磁リレーが用いられる。制御装置２は、ハウス本体３内またはハウス本体３の外部に設置された筐体に収納される。
【００４５】
制御装置２は、プログラムに従って動作するマイコンのようなデバイスを主なハードウェア要素として備える。制御装置２は、前述した各調整機器と各種センサとが接続されるインターフェイス部（以下、Ｉ／Ｆ部ともいう）２０と、演算処理部２１と、各種データを記憶する記憶部２２と、を備える。演算処理部２１は、Ｉ／Ｆ部２０を通して各種センサから取得した環境情報と、記憶部２２に格納した各種データとを用いて所定のプログラムにしたがった演算を行う。
【００４６】
Ｉ／Ｆ部２０は、演算処理部２１による演算結果に基づいて各調整機器を操作する。Ｉ／Ｆ部２０には、ユーザインターフェイスとなる端末装置、例えば、パーソナルコンピュータ２３、コントロールパネル、携帯用端末機等が接続される。使用者は、制御装置２の操作盤、パーソナルコンピュータ２３の操作部、コントロールパネル、端末装置等を使用してハウス内における室温等の環境設定、時刻合わせ等を行うことができ、端末装置の表示画面を通じて現在の運転状態を確認することができる。
【００４７】
次に、雨滴センサ５３の検出値に基づく雨有りか否かの検出結果について誤検出か否かを判定する判定制御の一例について図２のフローチャートを参照して説明する。この制御は、作物４の生育促進のために常時実施するハウス内の環境制御と同時並行に行われる。制御装置２は、環境制御の実行とともに、雨滴センサ５３の検出値を用いた雨有りか否かの検出結果が適正か否かを常に監視し、誤検出であると判定した場合には、この状態を緊急的に改善するため、現実に適した措置であるフェイルセーフ処理を実行する。
【００４８】
雨滴センサ５３の検出値を用いた検出結果が誤検出である場合には、作物４の生育に悪影響を及ぼすことがある。例えば、実際は雨が降っているのに、雨無しであると誤検出した場合には、天窓３０や側窓３１が雨無し時の開度に制御されるため、ハウス内に雨が侵入して、作物４に雨滴が付着して病気を引き起こすことがある。また、実際は雨が降っていないのに、雨有りであると誤検出した場合には、天窓３０や側窓３１が雨有り時の開度に制御されるため、ハウス内に外気を十分に取り込むことができず、効率の悪い環境制御を実施してしまうことになる。このような誤検出は、例えば、センサ自体の故障、通信線の断線、短絡、センサの検知部における異物の付着等により、起こりうる。
【００４９】
雨滴センサ５３の異常状態が長引くと、作物４が適正に生長できない、あるいは商品にならない等の大きな損失が発生しうる。特に使用者が短時間で雨滴センサ５３の異常に気がつかない場合、例えば、留守にしている場合、農業用ハウスから離れた場所にいる場合、就寝中である場合等には、異常を報知するための警報が発せられても、深刻な事態に至ってしまうことがある。
【００５０】
そこで、図２のフローチャートに示す判定制御は、このような事態を回避するために、農業用ハウス１が作物４を生育している状態であれば、環境制御とともに常時実行される。図２に示すフローチャートの処理は、制御装置２によって実行される。
【００５１】
まずステップ２で、現在、雨滴センサ５３が雨有りの誤検出状態であるか否かを判定する。換言すればステップ２では、後述するステップ３４、３５の処理が実行された状態であるか否かを判定する。ステップ３４の処理が実行された状態である場合は、ステップ２で、「ＹＥＳ」と判定してステップ３４に進み、後述するステップ３４に係る異常警報を継続する。ステップ２で、「ＮＯ」と判定した場合は、次のステップ４で、現在、雨滴センサ５３が雨無しの誤検出状態であるか否かを判定する。換言すればステップ４では、後述するステップ６３、６４の処理が実行された状態であるか否かを判定する。ステップ６３の処理が実行された状態である場合は、ステップ４で、「ＹＥＳ」と判定してステップ６３に進み、後述するステップ６３に係る異常警報を継続する。ステップ４で、「ＮＯ」と判定した場合は、次にステップ１０に進む。
【００５２】
ステップ１０で、演算処理部２１は、Ｉ／Ｆ部２０に入力された雨滴センサ５３の検出値を用いて所定の演算を実行して、雨有りであるか否かを判定する。演算処理部２１は、雨センサの検出値を用いて雨有りか否かを判定する判定手段である。ステップ１０で「雨有り」と判定されると、検出結果が雨有りであるため、ステップ２０で雨無し時のカウンタｃｆｔ２をリセットする処理を実行する。
【００５３】
次にステップ３０で、演算処理部２１は、内蔵する時計機能を用いて現時刻が昼間時間帯であるか否かを判定する。昼間時間帯は、例えば１１時〜１４時の間の時間帯に設定される。現時刻が昼間時間帯でない場合はステップ３０で「ＮＯ」と判定され、ステップ４０で、天窓３０や側窓３１を通常の環境制御における雨有り時の設定開度ＷＰ１となるように制御する処理を実行する。そして本フローチャートを終了する。また、本フローチャートは、所定時間間隔、例えば３０秒間隔で実行する。したがって、終了後、所定時間経過するとステップ２の処理から再開することになり、本フローチャートは、所定時間毎に常時実行される。
【００５４】
現時刻が昼間時間帯である場合はステップ３０で「ＹＥＳ」と判定され、ステップ３１で、演算処理部２１は、Ｉ／Ｆ部２０に入力された日射センサ５２の検出値が雨無し時の日射量に相当する所定の雨無し日射量値ＳＲ１より大きいか否かを判定する。雨無し日射量値ＳＲ１は、例えば、５００（Ｗ／ｍ２）に設定される標準的な雨無し時の日射量値であり、あらかじめ登録された値でもよいし、過去の日射量実績に基づいて更新される値であってもよい。
【００５５】
日射センサ５２の検出値が雨無し日射量値ＳＲ１以下である場合はステップ３１で「ＮＯ」と判定され、前述のステップ４０の処理を実行し、本フローチャートを終了する。このようにステップ３０、３１、４０と移行する場合は、昼間時間帯にもかかわらず日射量が少ないため、雨有り検出は適正であり、演算処理部２１は、雨センサの検出値に基づく検出結果を誤検出ではないと判定する。
【００５６】
一方、日射センサ５２の検出値が雨無し日射量値ＳＲ１を上回る場合はステップ３１で「ＹＥＳ」と判定され、ステップ３２で雨有り時のカウンタｃｆｔ１を１カウントアップする処理を実行する。さらに、ステップ３３で演算処理部２１は、ステップ３２での雨有りカウント開始からの時間が所定の雨無し判定時間Ｔａ以上継続したか否かを判定する。雨無し判定時間Ｔａは、昼間時間帯の日射量が雨無し日射量値ＳＲ１を上回る状態の継続時間が、降雨時には想定できない時間になるように設定される。
【００５７】
雨無し判定時間Ｔａは、例えば３０分に設定される。この時間を超えて昼間時間帯の日射量が雨無し日射量値ＳＲ１を上回る状態が継続すると、明らかに雨が降っていないと判定できる。例えば、日が照っているのに雨が降っている状態、いわゆる天気雨、日向雨、狐の嫁入りなどは、３０分も続く状態ではないため、雨無し判定時間Ｔａを３０分に設定すれば、雨有りの誤検出を確実に判定することができる。
【００５８】
ステップ３２での雨有りカウント開始からの時間が雨無し判定時間Ｔａ未満である場合は、ステップ３３で「ＮＯ」と判定され、前述のステップ４０の処理を実行し、本フローチャートを終了する。このようにステップ３０、３１、３２、３３、４０と移行する場合は、例えば日が照っているのに雨が降っている状態であるから、雨有り検出は適正である。演算処理部２１は、雨滴センサ５３の検出値に基づく雨有りの検出結果を誤検出ではないと判定する。
【００５９】
ステップ３２での雨有りカウント開始からの時間が雨無し判定時間Ｔａ以上継続している場合はステップ３３で「ＹＥＳ」と判定される。次のステップ３４では、雨滴センサ５３が雨有りの誤検出をしたこと、または雨滴センサ５３が異常状態であることを使用者等に報知する異常警報を発する。この異常状態の報知は、点灯、点滅などの表示、音声、または制御装置２による携帯端末等への情報送信によって実施することもできる。さらにステップ３５で、天窓３０や側窓３１を通常の環境制御における雨有り時の設定開度ＷＰ１よりも大きな開度ＷＰ２となるように制御する処理を実行し、本フローチャートを終了する。
【００６０】
このステップ３４、３５の処理により、雨滴センサ５３の異常状態を外部に知らせて修理等の対策を促すとともに、修理までの間に雨滴センサ５３の不適切な検出結果によって環境制御してしまう状態を解消することが可能になる。ステップ３５の処理によって雨滴センサ５３の異常を認識した使用者等は、自身で修理を試みたり、他者に修理の手配をしたりすることができる。修理が完了するまでの間は、制御装置２は、前述した、ステップ２、３４、３５またはステップ１０、２０、３１、３２、３３、３４、３５の処理を実行することで、雨有りの検出結果を誤検出とし、適正な検出結果に基づいた緊急改善制御を実施し続ける。
【００６１】
以上のように、演算処理部２１は、昼間時間帯における日射センサ５２の検出値や、雨有りカウントの継続時間を用いて、雨有りの検出結果が誤検出であるか否かを判定する判定手段でもある。
【００６２】
ステップ１０で「雨無し」と判定されると、検出結果が雨無しであるため、ステップ５０で雨有り時のカウンタｃｆｔ１をリセットする処理を実行する。
【００６３】
次にステップ６０で、演算処理部２１は、湿度センサ５５によって検出される外気の相対湿度が雨有り時の相対湿度に相当する所定の湿度基準値Ｈ１と比較して同等以上であるか否かを判定する。湿度基準値Ｈ１は、例えば、降雨時の外気の相対湿度に相当する９５％ＲＴに設定される。検出される外気の相対湿度が湿度基準値Ｈ１以下または未満である場合はステップ６０で「ＮＯ」と判定され、ステップ７０で、天窓３０や側窓３１を通常の環境制御における雨無し時の設定開度ＷＰ４となるように制御する処理を実行する。そして本フローチャートを終了する。この場合、演算処理部２１は、雨無しの検出結果を適正であると判定する。
【００６４】
検出される外気の相対湿度が湿度基準値Ｈ１と同等またはそれ以上である場合はステップ６０で「ＹＥＳ」と判定され、ステップ６１で、雨無し時のカウンタｃｆｔ２を１カウントアップする処理を実行する。さらに、ステップ６２で演算処理部２１は、ステップ６１での雨無しカウント開始からの時間が所定の雨有り判定時間Ｔｂ以上継続したか否かを判定する。雨有り判定時間Ｔｂは、外気の相対湿度が湿度基準値Ｈ１に対して同等以上となる継続時間が、雨無し時には想定できない時間になるように設定される。
【００６５】
雨有り判定時間Ｔｂは、例えば２４時間に設定される。この時間を超えて外気の相対湿度が湿度基準値Ｈ１以上である状態が継続すると、明らかに雨が降っていると判定できる。雨が降っていないのに湿度基準値Ｈ１以上の高湿度である状態が丸１日中続く状態は、想定できないからである。
【００６６】
ステップ６１での雨無しカウント開始からの時間が雨有り判定時間Ｔｂ未満である場合は、ステップ６２で「ＮＯ」と判定され、前述のステップ７０の処理を実行し、本フローチャートを終了する。このようにステップ６０、６１、６２、７０と移行する場合は、例えば雨は降っていないが、高湿度である天気であるから、雨無し検出は適正であると判定する。演算処理部２１は、雨滴センサ５３の検出値に基づく雨無しの検出結果を誤検出ではないと判定する。
【００６７】
ステップ６１での雨無しカウント開始からの時間が雨有り判定時間Ｔｂ以上継続している場合はステップ６２で「ＹＥＳ」と判定される。次のステップ６３では、雨滴センサ５３が雨無しの誤検出をしたこと、または雨滴センサ５３が異常状態であることを使用者等に報知する異常警報を発する。この異常状態の報知は、先のステップ３４と同様の手段によって実施される。さらにステップ６４で、天窓３０や側窓３１を通常の環境制御における雨無し時の設定開度ＷＰ４よりも小さな開度ＷＰ３となるように制御する処理を実行し、本フローチャートを終了する。
【００６８】
このステップ６３、６４の処理により、雨滴センサ５３の異常状態を外部に知らせて修理等の対策を促すとともに、修理までの間に雨滴センサ５３の不適切な検出結果によって環境制御してしまう状態を解消することが可能になる。ステップ６４の処理によって雨滴センサ５３の異常を認識した使用者等は、自身で修理を試みたり、他者に修理の手配をしたりすることができる。修理が完了するまでの間は、制御装置２は、前述した、ステップ２、４、６３、６４またはステップ１０、５０、６０、６１、６２、６３、６４の処理を実行することで、雨無しの検出結果を誤検出とし、適正な検出結果に基づいた緊急改善制御を実施し続ける。
【００６９】
以上のように、演算処理部２１は、外気の相対湿度の測定値や、雨無しカウントの継続時間を用いて、雨無しの検出結果が誤検出であるか否かを判定する判定手段でもある。
【００７０】
次に、第１実施形態の制御装置２や農業用ハウス１がもたらす作用効果について説明する。制御装置２は、雨滴センサ５３の検出値に基づく雨有りか雨無しかの検出結果に応じて、ハウスに設けられた天窓３０や側窓３１の開度を制御する。制御装置２は、雨有りの検出結果である場合に（ステップ１０）、昼間時間帯（ステップ３０）に検出される日射量と雨無し時の日射量に相当する所定の雨無し日射量値ＳＲ１とを比較する。検出される日射量がＳＲ１を超える状態が所定の雨無し判定時間Ｔａ以上継続したときには（ステップ３０）、雨無しの検出結果は誤検出であると判定し、天窓３０等の開度を雨有り時の設定開度よりも開くように制御する（ステップ３５）。
【００７１】
この制御によれば、雨滴センサ５３の検出値を用いて雨有りの検出結果が出た場合に、本来雨無し時の昼間時間帯に検出される雨無し日射量値ＳＲ１に対して同等以上の日射量を検出したときはその検出継続時間が雨無し判定時間Ｔａ以上であるか否かを判定する。この検出状態が雨無し判定時間Ｔａ以上継続する場合には雨有りの検出結果は誤検出であると判定する。これにより、実際には雨が降っていないのに雨有りとする検出結果を誤検出として抽出することができる。制御装置２や農業用ハウス１は、明らかに検出値が正常でない短絡故障や断線故障ではなく、これら以外の原因による雨滴センサ５３の誤検出を検出することができる。さらに、制御装置２や農業用ハウス１は、雨有りとする誤検出に対して、天窓３０等の開度を雨有り時の設定開度よりも開くことにより、雨無し時に対応する換気量やハウス内の室温管理を実施することができる。
【００７２】
制御装置２は、雨無しの検出結果である場合に（ステップ１０）、外気の相対湿度と雨有り時の相対湿度に相当する所定の湿度基準値Ｈ１とを比較する。外気の相対湿度が湿度基準値Ｈ１に対して同等以上である状態が所定の雨有り判定時間Ｔｂ以上継続したときには（ステップ６２）、雨無しの検出結果は誤検出であると判定し、天窓３０等の開度を雨無し時の設定開度よりも閉じるように制御する（ステップ６４）。
【００７３】
この制御によれば、雨滴センサ５３の検出値を用いて雨無しの検出結果が出た場合に、本来雨有り時に検出される相対湿度に相当する湿度基準値Ｈ１に対して同等以上の相対湿度を検出したときはその検出継続時間が雨有り判定時間Ｔｂ以上であるか否かを判定する。この検出状態が雨有り判定時間Ｔｂ以上継続する場合には雨無しの検出結果は誤検出であると判定する。これにより、実際には雨が降っているのに雨無しとする誤検出を抽出することができる。この場合も、制御装置２や農業用ハウス１は、明らかに検出値が正常でない短絡故障や断線故障ではなく、これら以外の原因による雨滴センサ５３の誤検出を検出することができる。さらに、制御装置２や農業用ハウス１は、雨無しとする誤検出に対して、天窓３０等の開度を雨無し時の設定開度よりも閉めることにより、雨滴が作物に付着して生長に悪影響を与えることを回避できる。
【００７４】
制御装置２は、雨無しの検出結果は誤検出であると判定した場合に、さらに雨滴センサ５３の異常状態を報知する（ステップ３４、６３）。これによれば、雨滴センサ５３の検出値に基づく検出結果が正しくないと判定した場合に、作物４に悪影響を与えないように天窓３０等の開度を制御するとともに異常の報知を行うことにより、使用者に対して修理を促すことができる。したがって、異常の報知から修理までの間の作物４への悪影響を抑制できる制御装置２や農業用ハウス１を提供できる。
【００７５】
（他の実施形態）
以上、開示された発明の好ましい実施形態について説明したが、開示された発明は前述した実施形態に何ら制限されることなく、種々変形して実施することが可能である。前述の実施形態の構造は、あくまで例示であって、開示された発明の技術的範囲はこれらの記載の範囲に限定されるものではない。開示された発明の技術的範囲は、特許請求の範囲の記載によって示され、さらに特許請求の範囲の記載と均等の意味及び範囲内での全ての変更を含むものである。
【００７６】
雨有りか雨無しかの検出結果を導くための検出値を出力する雨センサは、前述の実施形態に記載する雨滴センサ５３の構成、検出形態に限定されるものではない。
【００７７】
前述の実施形態において、制御装置２は、パーソナルコンピュータが備えるインターフェイス部あるいはパーソナルコンピュータに追加されるインターフェイス部を通して、各種センサの出力を受け取り、また各調整機器への指示を与えるように構成してもよい。すなわち、パーソナルコンピュータでプログラムを実行することによって、パーソナルコンピュータを制御装置２として機能させることができる。
【００７８】
前述の実施形態において、制御装置２のＩ／Ｆ部２０に、天気予報の情報を外部から取得する通信インターフェイス部を備えるようにしてもよい。この場合、制御装置２は、Ｉ／Ｆ部２０を通して取得した天気予報の情報から、作物４の周囲湿度を予測し、予測結果に基づいて、給水機３７によるベッド３８への給水量を調整することができる。
【００７９】
前述の実施形態において、作物４の一例としてトマトであることを記載しているが、作物４は、トマトに限定されるものではなく、その他の野菜や果物であってもよい。
【符号の説明】
【００８０】
１…農業用ハウス
２…制御装置
４…作物
３０…天窓（通気窓）
３１…側窓（通気窓）
５２…日射センサ
５３…雨滴センサ（雨センサ）
５５…湿度センサ
【図１】
0006350415.tif 000002
【図２】
0006350415.tif 000003